(57)【要約】【課題】輪木を置く際にその向きを任意に変更しても、輪木の上に載せた物品の荷重により破損しにくく、軽量であり、成形する際に合成樹脂の充填不良が生じにくい輪木を提供する。【解決手段】長手方向に延在する合成樹脂製の輪木であり、輪木の短手方向における断面は、一対の側壁を有する形状であり、輪木は、一対の側壁に交差する方向に存する一方の面と他方の面に複数の穴を備えており、一方の面に設けられた複数の穴と他方の面に設けられた穴との間には第１隔壁が設けられている輪木である。【選択図】図１
2020204176.tif 000002
【特許請求の範囲】
【請求項１】
長手方向に延在する合成樹脂製の輪木であり、
輪木の短手方向における断面は、一対の側壁を有する形状であり、
輪木は、一対の側壁に交差する方向に存する一方の面と他方の面に複数の穴を備えており、
一方の面に設けられた複数の穴と他方の面に設けられた穴との間には第１隔壁が設けられている輪木。
【請求項２】
輪木の一方の面及び他方の面には、複数列に配置された複数の穴が設けられており、
複数列に配置された複数の穴のうち、一方の列と他方の列との間には第２隔壁が設けられている請求項１に記載の輪木。
【請求項３】
複数の穴は、一方の面又は他方の面における視点において、円弧状部分を有する形状であり、
互いに隣接する、一方の穴の円弧状部分と他方の穴の円弧状部分との間の壁には肉厚が大きくなる部分が形成された請求項１又は２に記載の輪木。
【請求項４】
一方の面又は他方の面における視点において、輪木の端部における前記穴の面積は、輪木の中ほどにおける前記穴の面積に比して、小さく構成されている請求項１ないし３のいずれかに記載の輪木。
【請求項５】
輪木の短手方向における断面形状は、一方の面が位置する第１辺の長さと、当該第１辺に交差する方向における第２辺の長さとが、相違するように構成された請求項１ないし４のいずれかに記載の輪木。
【請求項６】
第１隔壁には、一方の面に設けられた穴と、他方の面に設けられた穴とを連通させる連通孔が設けられている請求項１ないし５のいずれかに記載の輪木。
【発明の詳細な説明】
【技術分野】
【０００１】
本発明は、輪木に関する。
【背景技術】
【０００２】
建物の外壁パネルや骨組などの資材を一時的に保管しておく際に、輪木が利用される。また、輸送する物品を物流倉庫で一時的に保管しておく際にも、輪木が使用される。例えば、地面や物流倉庫の床の上に輪木を敷いておき、その上に複数枚の外壁パネルなどの資材や輸送する物品を積層して保管したりする。
【０００３】
従来は、木材を正方形の棒状に成形したものが輪木として一般的に利用されてきた。木材を輪木とした場合には、輪木の重量が大きくなり、輪木の設置や回収が煩雑であった。木材の輪木は、雨水などを吸って重量が重くなりやすく、重量の問題がより顕著になりやすい。また、木材の輪木は腐食しやすく、耐久性の点でも問題があった。重量等の問題を解決するために、合成樹脂材料で構成した輪木が提案されている。
【０００４】
例えば、特許文献１には、帯状部材を波状に成形したプラスチック成形品からなる輪木が記載されている。この輪木では、波状部の凹部によって、成形した際に輪木全体が均一に冷却されるとされている。また、特許文献２にも、同様の波状の輪木が記載されている。この輪木は、ポリ塩化ビニル、ABS樹脂などで構成されるとされている。
【先行技術文献】
【特許文献】
【０００５】
【特許文献１】特開２００４−１０７９１４号公報
【特許文献２】実用新案登録第２５７７６４３号公報
【発明の概要】
【発明が解決しようとする課題】
【０００６】
特許文献１及び特許文献２の輪木は、波状の形状をしている。このような輪木は軽量ではあるものの、荷重が入力される方向によっては、波状の輪木が簡単に破損してしまうおそれがある。このため、このような輪木は、輪木が破損しないように、輪木を地面や床に置く向きを意識して使用しなければならない。
【０００７】
輪木を断面方形かつ中実な棒状に形成すれば、強度が向上するものの、輪木の重量が増大してしまう。また、後述する図１５及び図１６のように、輪木に天板と底板を設けて、輪木を中空に構成して、天板と底板との間に複数の補強板を設ける構成が考えられる。しかしながら、このような構成の場合は、天板と底板とがあるため、原料となる合成樹脂が金型に充填されにくくなり、輪木を成形する際の妨げとなる。
【０００８】
以上のような問題点に鑑みて、本発明は、輪木を置く際にその向きを任意に変更しても、輪木の上に載せた物品の荷重により破損しにくく、軽量であり、成形する際に合成樹脂の充填不良が生じにくい輪木を提供することを目的とする。
【課題を解決するための手段】
【０００９】
長手方向に延在する合成樹脂製の輪木であり、輪木の短手方向における断面は、一対の側壁を有する形状であり、輪木は、一対の側壁に交差する方向に存する一方の面と他方の面に複数の穴を備えており、一方の面に設けられた複数の穴と他方の面に設けられた穴との間には第１隔壁が設けられている輪木により、上記の課題を解決する。
【００１０】
上記の輪木では、複数の穴により、輪木が肉抜きされた形状であるため、軽量である。また、輪木の一方の面及び他方の面には、天板や底板で塞がれておらず複数の穴が開口しているため、輪木を成形する際に、合成樹脂が金型に充填されやすくなる。また、上記の輪木は、一方の面及び他方の面共に複数の穴が開口する形状であり、第１隔壁で輪木に載せられた物品等の荷重を支える構成である。一方の面及び他方の面のうちいずれか一方にのみ天板又は底板を設けた構成ではないため、輪木の一方の面と輪木の他方の面において、強度の差が生じにくくなっており、外力によって輪木が局所的に破損しにくくなっている。
【００１１】
上記の輪木において、輪木の一方の面及び他方の面には、複数列に配置された複数の穴が設けられており、複数列に配置された複数の穴のうち、一方の列と他方の列との間には第２隔壁が設けられた構成とすることが好ましい。この構成によれば、第２隔壁によっても、輪木に載せられた荷重を支えることができる。これによって、輪木の強度をさらに高めることができる。
【００１２】
上記の輪木において、複数の穴は、一方の面又は他方の面における視点において、円弧状部分を有する形状であり、互いに隣接する、一方の穴の円弧状部分と他方の穴の円弧状部分との間の壁の肉厚が大きくなるように構成されたものとすることが好ましい。これによって、輪木の強度をさらに高めることができる。
【００１３】
上記の輪木において、一方の面又は他方の面における視点において、輪木の端部における前記穴の面積は、輪木の中ほどにおける前記穴の面積に比して、小さく構成されたものとすることが好ましい。これによって、輪木の端部の強度をさらに高めることができる。
【００１４】
上記の輪木において、輪木の短手方向における断面形状は、一方の面が位置する第１辺と、当該第１辺に交差する方向における第２辺との長さとが、相違するように構成されたものとすることが好ましい。これによって、輪木の第１辺が地面等に交差する向きに置いた場合と、輪木の第１辺が地面等に沿うように置いた場合とで、輪木の上に載置される物品と地面若しくは床面との間に形成される隙間の大きさを変更することができる。同様にして、輪木の上に載せられる一の物品と、輪木の上に載せられる他の物品との隙間の大きさも変更することができる。
【００１５】
上記の輪木において、第１隔壁には、一方の面に設けられた穴と、他方の面に設けられた穴とを連通させる連通孔が設けられたものとすることが好ましい。この構成によれば、一方の面に設けられた穴に侵入した水が、連通孔を通って他方の面に設けられた穴から排出される。例えば、輪木の複数の穴に土を入れて植生を設けることができる。また、例えば、輪木の複数の穴に砕石を入れて、滑り止めとすることができる。
【発明の効果】
【００１６】
本発明によれば、輪木を置く際にその向きを変更しても、輪木の上に載せた物品の荷重により破損しにくく、軽量であり、成形する際に合成樹脂の充填不良が生じにくい輪木を提供することができる。
【図面の簡単な説明】
【００１７】
【図１】輪木の一実施形態を示す平面側斜視図である。
【図２】図１の輪木の底面側斜視図である。
【図３】図１の輪木の平面図である。
【図４】図１の輪木の底面図である。
【図５】図１の輪木の正面図である。
【図６】図３のＡＡ部の拡大図である。
【図７】図６のＤＤ部における断面図である。
【図８】図３のＢＢ部における断面図である。
【図９】図５のＣＣ部における断面図である。
【図１０】輪木を横置きにして、輪木の上に物品を載せた状態を示す斜視図である。
【図１１】輪木を縦置きにして、輪木の上に物品を載せた状態を示す斜視図である。
【図１２】輪木に窓枠を載せた状態を示す斜視図である。
【図１３】輪木を駐車場の枕木として使用する例を示す斜視図である。
【図１４】輪木を法面の保護材として使用する例を示す斜視図である。
【図１５】第１の比較例に係る輪木を示す斜視図である。
【図１６】図１５のＦＦ部における断面図得ある。
【図１７】第２の比較例に係る輪木を、図１５のＦＦ部と同じ場所で切断した状態を示す断面図である。
【発明を実施するための形態】
【００１８】
以下、図面を参照しながら、輪木の一実施形態について、説明する。
【００１９】
本実施形態の輪木１は、図１ないし図６に示したように、長手方向に延在する形状であり、合成樹脂で構成される。図７に示したように、輪木１の短手方向における断面は、一対の側壁１１を有する四角形状である。輪木１は、一対の側壁１１に交差する方向に存する一方の面と他方の面とを備えている。一方の面には複数の穴１２が設けられており、他方の面には複数の穴１３が設けられる。一方の面には、複数の穴１２が開口しているが、穴１２の開口を除けば、平らな面を構成する。同様に、他方の面には、複数の穴１３が開口しているが、穴１３の開口を除けば平らな面を構成する。そして、一方の面に配される穴１２と他方の面に配される穴１３との間には第１隔壁１４が設けられている。なお、図１ないし図６においては、輪木１の上方の面を一方の面とし、輪木１の下方の面を他方の面とする。
【００２０】
本実施形態の輪木１では、図７に示したように、第１隔壁１４の端部は、一対の側壁１１の内側部分に接続された形状となっている。そして、第１隔壁１４の一方の面からは、輪木の一方の面に向けて、穴１２の形状を規定する壁１５が突出する。同様に、第１隔壁１４の他方の面からは、輪木の他方の面に向けて、穴１３の形状を規定する壁１５が突出する。第１隔壁１４は、輪木１の長手方向に沿って延在し、一方の面又は他方の面と平行な位置関係にある。
【００２１】
本実施形態の輪木１では、穴１２又は穴１３の個々の断面形状は、図７及び図８に示したように、底面側の角が円弧状に角取りされた方形状とされている。これにより、肉抜きを行う体積を増加させて、より大きく軽量化を図るようにしている。複数の穴１２又は穴１３は、輪木の一方の面から他方の面に向けて、又は輪木の他方の面から一方の面に向けて凹む窪みとして構成されている。複数の穴の断面形状は、図７及び図８の例に限定されず、例えば、円弧状の断面を有する穴として構成してもよいし、三角形状の断面を有する穴として構成してもよいし、四角形上の断面を有する穴として構成してもよい。
【００２２】
図１及び図２に示したように、輪木１の一方の面又は他方の面には、上記の穴１２又は１３が複数列に配置されている。そして、一方の列と他方の列の間には、図６及び図７に示したように第２隔壁１６が設けられている。本実施形態の輪木では、一方の面又は他方の面において、穴１２又は１３が、それぞれ輪木の長手方向に沿って２列にわたって形成される。穴の列の数は、これに限定されず、例えば、１列以上又は２列以上にすることができる。穴の列の上限は、特に限定されないものの、例えば、４列以下にすることができる。
【００２３】
本実施形態の輪木１では、図７に示したように、第２隔壁１６は、第１隔壁１４の一方の面から、輪木１の一方の面に向けて、突出する。同様に、第２隔壁１６は、第１隔壁１４の他方の面から、輪木１の他方の面に向けて、突出する。第２隔壁１６によって、複数の穴１２又は穴１３の形状が規定される。第２隔壁１６は、上述の壁１５に接続される形状であり、壁１５と共に、穴１２又は穴１３の形状を規定する。第２隔壁１６は、輪木の長手方向に沿って延在し、一対の側壁１１と平行な位置関係にある。第２隔壁１６の先端部は、側壁１１の先端部、及び壁１５の先端部と同様の突出高さとされている。
【００２４】
本実施形態の輪木１では、図６に示したように、輪木１の妻部にも、上記の壁１５が配されている。これによって、輪木１の妻部は壁１５によって塞がれた形状とされている。輪木１の妻部における壁１５は、図８及び図９に示したように、第１隔壁１４の端部と第２隔壁１６の端部と接合された形状とされている。
【００２５】
輪木の妻部における壁には、輪木を運ぶ際に手を掛ける持ち手を形成してもよい。持ち手は、例えば、妻部に設けられる窪みや妻部の壁に設けられる切り欠き部で構成することができる。
【００２６】
本実施形態の輪木１では、図７及び図８に示したように、第２隔壁１６の基端部の幅、すなわち第２隔壁１６の付け根部分の肉厚は、その先端部の幅に比して大きく構成されている。これにより、第２隔壁１６の強度が高められている。同様に、上述の壁１５もその先端部の幅に比して、その基端部の幅、すなわち壁１５の付け根部分の肉厚が大きくなるように構成されている。
【００２７】
本実施形態の輪木１では、第２隔壁１６が設けられる数は、単数であって、１枚である。上述のように、穴の列の数が３列以上になる場合は、それに応じて、第２隔壁の数も増加する。また、穴の列の数が、単数すなわち１列である場合は、第２隔壁は省略される。
【００２８】
図６に示したように、複数の穴１２又は穴１３は、一方の面又は他方の面における視点において、円弧状部分１５１を有する形状とされている。このため、互いに隣接する、一方の穴の円弧状部分１５１と他方の穴の円弧状部分１５１との間の壁１５には肉厚が大きくなる部分１５２が形成される。本実施形態の輪木１では、個々の穴１２又は穴１３は、一方の面又は他方の面から見た状態で、両端部に円弧状部分１５１を備え、当該円弧状部分１５１が直線部分１５３で接続された略楕円形状とされている。
【００２９】
輪木の一方の面又は他方の面に設けられる複数の穴の形状は、図６の例に限定されず、例えば、一方の面又は他方の面から見た際に、真円状になるようにしてもよいし、楕円状になるようにしてもよいし、菱形になるようにしてもよいし、角の数が３以上８以下の多角形状になるようにしてもよい。中でも、応力が角部に集中しにくくするために、円弧状部分を有する形状とすることが好ましい。
【００３０】
本実施形態の輪木１は、第１隔壁１４を対称線として、輪木１が上下方向に対して対称となるように構成されている。また、輪木１は、第２隔壁１６を対称線として、輪木１が左右方向に対して対象となるように構成されている。第１隔壁を設ける位置は、中央であることが好ましいが、多少ずれていてもよい。例えば、第１隔壁を設ける位置は、上下方向における中央から、例えば、０〜８％の範囲内でずれていてもよい。同様に、第２隔壁を設ける位置も、中央であることが好ましいが、多少ずれていてもよい。例えば、第２隔壁を設ける位置は、左右方向における中央から、例えば、０〜８％の範囲内でずれていてもよい。
【００３１】
輪木１を一方の面から見た際又は他方の面から見た際における端部の穴１２又は穴１３は、図６に示したように、輪木１の中ほどにおける穴１２又は穴１３の面積に比して、その面積が小さく構成された形状である。図６の例では、輪木１の短手方向における穴１２又は穴１３の内径が、輪木１の端部においては小さく、輪木１の中ほどにおいては大きくなるように構成されている。これによって、輪木１の端部においては、輪木１の側壁１１と、穴１２又は穴１３の壁１５の内側部分との間の肉厚が、比較的に大きくなるように構成されている。また、輪木の中ほどにおいては、輪木１の側壁１１と穴の壁１５との間の間の肉厚が、比較的に小さくなるように構成されている。輪木１の端部において、構成材の肉厚を大きくすることによって、輪木１の端部における強度がより高まるようになっている。なお、穴の面積とは、穴を一方の面又は他方の面から見た際において、穴の縁によって形成される内側の開口面積のことをいう。
【００３２】
例えば、図１２に示したように、輪木１の上に窓枠９１などの枠体を載置した際には、輪木１の両端部に荷重が集中しやすい。このように、輪木１の両端部に荷重が掛かりやすい態様で輪木の上に物品を載置する際に、輪木が破損しにくいように構成されている。また、輪木１を運搬する際などには、輪木１の両端部は、地面、床、荷台、又は障害物などに衝突して破損しやすい。輪木１の端部における穴の肉厚を大きく構成することによって、落下や衝突等の要因によって、輪木が破損する可能性を減じることができる。
【００３３】
図７に示したように、輪木１の短手方向における断面形状は、一方の面が位置する第１辺１７１の長さＬ１と、当該第１辺１７１に交差する方向における第２辺１７２の長さＬ２とが、相違するように構成されている。このため、図１０に示したように、輪木１を横置きにした場合と、図１１に示したように、輪木１を縦置きにした場合とで、地面と輪木１に載置される物品９２との間に形成される隙間の大きさを異ならせることができる。同様に、輪木１を縦置きにした状態と横置きにした状態とで、輪木１に載置される一の物品９２と、輪木１に載置される他の物品９２との間に形成される隙間の大きさを異ならせることができる。
【００３４】
本実施形態の輪木１では、図１０のように横置きにした状態においては、地面と物品との間に図７に示したＬ２の大きさの隙間が形成される。図１１のように縦置きにした状態においては、地面と物品との間に図７に示したＬ１の大きさの隙間が形成される。Ｌ１＞Ｌ２であるので、例えば、物品を運搬するのに使用するフォークリフトの爪の径が隙間の大きさに対して比較的に太い場合は、より大きなＬ１の隙間が形成されるように輪木１を配置することで、より大きな隙間に径の太いフォークリフトの爪を円滑に挿入することが可能となり、作業効率が上昇する。
【００３５】
図７の例では、輪木の短手方向における断面において、側壁が位置する辺を短辺とし、複数の穴１２又は１３が位置する辺を長辺とした。側壁が位置する辺を長辺とし、複数の穴１２又は１３が位置する辺を短辺としてもよい。
【００３６】
図７の例では、Ｌ１とＬ２の長さを相違させて、輪木１の短手方向における断面形状が略長方形状になるようにした。Ｌ１とＬ２の長さを同程度にして、輪木１の短手方向における断面形状が正方形状になるようにしてもよい。この場合は、輪木を置く方向を変更することによって、隙間を変更することはできなくなる。しかしながら、輪木を置く方向を気にせずに使用することができる。
【００３７】
本発明の輪木とは異なる構成を有する比較例に係る輪木８を図１７に示す。この輪木８は、一方の面にのみ天板８１を設けて、輪木８の他方の面には底板を設けていない。この輪木８を縦置きにした状態で輪木８の上に物品９２を載置すると、輪木８において、天板８１を有する部分と底板を有しない開口部分に亘るように物品が載置されることがある。このように物品９２が載置されると、底板が設けられていない開口部分Ｅにおいては、側壁の強度が不足して、輪木８の側壁８３が割れるなど損傷することがあった。なお、図１７においては、輪木の上に載せられた物品９２は破線で示し、輪木は内部の構成を示すために断面形状を示した（図８及び９においても同様とする）。
【００３８】
本実施形態の輪木１では、図８に示したように、輪木１の一方の面又は他方の面に、天板又は底板を設けるのではなく、第１隔壁１４を一方の面に配される穴１２と他方の面に配される穴１３との間に配置する構成とした。このため、図８及び図１１に示したように、輪木１を縦置きにした状態で、輪木１の一方の面と輪木１の他方の面において強度の差が生じにくく、輪木の上に載せた物品９２の荷重により輪木１が破損しにくくなっている。
【００３９】
図９及び図１０に示したように、輪木１を横置きにした状態では、輪木１の一対の側壁１１が輪木１の端部に位置するため、輪木１の端部において強度の差が生じにくく、輪木１の上に載せた物品９２の荷重により輪木１が破損しにくくなっている。
【００４０】
本実施形態の輪木１では、第１隔壁１４で輪木１に載置された物品等の荷重を支えるだけではなく、第２隔壁１６によっても、前記荷重を支える。これにより、輪木の強度がより高くなるように構成されている。
【００４１】
本実施形態の輪木１では、上述のように、側壁１１と壁１５との接続部分（図６）、第２隔壁１６と壁１５の接続部分（図６）、第１隔壁１４と側壁１１との接続部分（図７）、第１隔壁１４と第２隔壁１６の側壁部分（図７）が円弧状にされており、輪木の構成材の肉厚が大きくなるように構成されている。これによって、輪木１の強度がより高くなるように構成されている。
【００４２】
図７及び図８に示したように、本実施形態の輪木１では、第１隔壁１４は、輪木１の一方の面に設けられた穴１２の底面を構成し、輪木１の他方の面に設けられた穴１３の底面を構成する。第１隔壁１４には、一方の面に設けられた穴１２と、他方の面に設けられた穴１３とを連通させる連通孔が設けれられている。図７及び図８の例では、連通孔１２１は、一方の面又は他方の面から見た際に、穴１２又は穴１３の底面の面積に比して、小さい面積となる形状を有する貫通孔から構成されている。このため、穴１２又は穴１３の底面により、穴に入れた土や砕石などの充填物が保持される。連通孔１２１は、一方の面又は他方の面から見ると、円形状である。
【００４３】
連通孔の形状は円形に限定されず、例えば、三角形、四角形などの多角形状にすることができる。連通孔は、輪木の一方の面又は他方の面に設けられる穴の底面の面積と同じ面積としてもよい。その場合、穴に充填された土や砕石を収納しておくためにメッシュなどの通水部材を連通孔１２１に設けるとよい。
【００４４】
本実施形態の輪木１は、上述のように物品を載置して保管する用途以外にも、図１３に示したように、例えば、駐車場７１の枕木７２として使用することができる。図１３の例では、土が露出している駐車場７１に複数本の輪木１を車輪の幅に対応する間隔を空けて土中に埋設し、枕木７２として利用している。輪木１の一方の穴１２又は他方の穴１３には、複数の砕石７３が充填されている。砕石７３は、枕木７２の審美性を高める機能に加えて、車輪の滑り止めとしても機能する。輪木１を枕木７２として利用する際には、上記の連通孔１２１を穴１２又は穴１３の底に設けることが好ましい。連通孔１２１を設けることによって、穴の中に雨水が溜まったり、砕石が溜まった雨水によって流失してしまうことを防止することができる。
【００４５】
本実施形態の輪木１は、例えば、図１４に示したように、法面６１の保護材としても利用することができる。図１４に示した例では、山の土が露出している法面６１上に複数本の輪木１を敷設している。敷設に際しては、輪木１の長手方向に延在する側壁同士が接するように複数本の輪木１を敷設している。輪木１の一方の面又は他方の面に設けられる穴１２又は穴１３には、土が充填されている。これにより、自然の植生６２が形成されるようにされている。穴には土とともに植物の種を充填してもよい。輪木を法面の保護材として利用する差には、穴１２又は穴１３の底に、連通孔を設けることが好ましい。連通孔１２１を設けることによって、穴に雨水が溜まったり、穴に充填した雨土が水によって流失したり、植生に根腐れが生じることを防ぐことができる。
【００４６】
輪木の構成材料は、適宜の合成樹脂材料を使用すればよい。本実施形態の輪木では、木チップと熱可塑性樹脂であるポリエチレンとを混合したものを使用した。ポリエチレンは熱可塑性樹脂であるため、輪木を加熱溶融することで、廃材となった輪木を再利用することが可能である。また、木チップを含有するため、輪木を軽量かつ高強度にすることも可能である。合成樹脂材料としては、その他、ポリプロピレンなどの合成樹脂材料を使用してもよいし、フェノール樹脂などの熱硬化型樹脂を使用してもよい。
【００４７】
輪木の製造方法は、特に限定されない。例えば、輪木に対応する形状を有する上金型と下金型との間に、団子状にした合成樹脂材料の塊を置いて、上金型と下金型とで合成樹脂材料を挟み込んで、プレス成型して、製造することができる。また、金型を利用して、射出成型により製造してもよい。
【００４８】
図１５及び図１６に比較例２に係る輪木５を示す。この輪木５は、天板５１と、底板５２と、天板５１及び底板５２を接続する複数の補強板５３と、天板５１及び底板５２の両端を接続する一対の側壁５５と、妻部を塞ぐ一対の壁５４とを有する。輪木５の場合は、天板５１及び底板５２を有するので、合成樹脂材料が金型の隅々まで充填されにくい。このため、輪木５のような形状を採用した場合は、成形不良が生じやすい。
【００４９】
一方、上記の実施形態に係る輪木では、一方の面及び他方の面に複数の穴が設けられており、天板や底板は備えていない。このため、輪木を成形する際に合成樹脂材料が充填されやすくなっており、成形不良が生じにくい。
【符号の説明】
【００５０】
１      輪木
１１    側壁
１２    穴
１３    穴
１４    第１隔壁
１６    第２隔壁
１５１  円弧状部分
１７１  第１辺
１７２  第２辺
１２１  連通孔
【図１】
2020204176.tif 000003
【図２】
2020204176.tif 000004
【図３】
2020204176.tif 000005
【図４】
2020204176.tif 000006
【図５】
2020204176.tif 000007
【図６】
2020204176.tif 000008
【図７】
2020204176.tif 000009
【図８】
2020204176.tif 000010
【図９】
2020204176.tif 000011
【図１０】
2020204176.tif 000012
【図１１】
2020204176.tif 000013
【図１２】
2020204176.tif 000014
【図１３】
2020204176.tif 000015
【図１４】
2020204176.tif 000016
【図１５】
2020204176.tif 000017
【図１６】
2020204176.tif 000018
【図１７】
2020204176.tif 000019